(57)【要約】【課題】本発明はシャツ専用ハンガーを開示した。【解決手段】本発明はシャツ専用ハンガーを開示し、動力ブロックを含み、それによりシャツの側部を支持する時、回転ボードを開けて垂直になるまで回転させ、その後支持棒を回転させ、差込ブロックを差込溝の中に差し込み、両側の回転ボードを固定し、シャツは長過ぎると、伸縮ボードを下へ引っ張り、移動ブロックは移動チャンバの中でスライドし、ブロックは制限溝の中に引っかかって伸縮ボードの下へ移動する距離を調整でき、ハンガーの幅を調整でき、異なる肩幅のシャツに適応でき、シャツの肩幅が大きすぎて凹んでしまうことを避け、それに補助機構によってシャツの側ぶを支持でき、シャツ全体を支持できる。【選択図】図１
2020175086.tif 000002
【特許請求の範囲】
【請求項１】
シャツ専用ハンガーであって、動力ブロックを含み、前記動力ブロックの中には動力チャンバが設置されており、前記動力チャンバの頂壁の中にはフックがスライドできるように係合取り付けられ、前記フックの底部端面には第一傘歯車が固定的に取り付けられ、前記フックにおいて前記動力チャンバの中には変位を制限できる制限ブロックが固定的に取り付けられ、前記動力ブロックの左右両側端面の中には上下に対称的にスライド溝が設置されており、前記スライド溝の中にはスライダがスライドできるように係合取り付けられ、上下の前記スライダがフレームと固定的に接続されており、前記フレームの中にはネジ山チャンバが設置されており、前記動力チャンバの左右内壁の中にはネジ山ボルトが回転できるように係合取り付けられ、前記ネジ山ボルトが前記ネジ山チャンバとネジ山によって係合取り付けられ、前記ネジ山ボルトには第二傘歯車が固定的に取り付けられ、前記第二傘歯車が前記第一傘歯車と噛み合い、ハンガーの長さが足りない時、前記フックを押して回転させ、前記第一傘歯車を前記第二傘歯車と噛合させ、前記第二傘歯車を回転連動させ、両側の前記フレームが遠ざかり、ハンガーの長さを増え、前記フレームの中には下に開口する遊休チャンバが設置されており、前記遊休チャンバの前後の内壁の間には回転棒が回転できるように係合取り付けられ、前記回転棒にはシャツの側部を支持できる回転ボードが固定的に取り付けられ、前記回転ボードの中には前記回転ボードを支持でき且つ前記回転ボードの長さを増える補助機構が設置されており、左右の前記補助機構の間には左右の前記回転ボードを固定する固定機構が設置されていることを特徴とするシャツ専用ハンガー。
【請求項２】
前記補助機構は前記回転ボードの頂部端面に設置される上に開口する補助チャンバを含み、前記補助チャンバの前後内壁の間には補助棒が回転できるように係合取り付けられ、前記補助棒には支持棒が固定的に取り付けられ、左側の前記支持棒の前側端面には差込ブロックが固定的に取り付けられ、右側の前記支持棒の中には差込溝が設置されており、前記差込溝が前記差込ブロックと挿入して接続されることができ、前記補助チャンバの下方には移動チャンバが設置されており、前記移動チャンバの中には移動ブロックがスライドできるように係合取り付けられ、前記移動ブロックの底部端面には七つの制限溝が設置されており、前記移動チャンバの下方には撥条チャンバが連通して設置されており、前記撥条チャンバの中にはブロックがスライドできるように係合取り付けられ、前記ブロックは前記制限溝の中に引っかかることができ、前記ブロックの底部端面と前記撥条チャンバの底壁の間には第一撥条が固定的に取り付けられ、前記移動ブロックには伸縮ボードが固定的に取り付けられ、それによりシャツの側部を支持する時、回転ボードを開けて垂直になるまで回転させ、その後支持棒を回転させ、差込ブロックを差込溝の中に差し込み、両側の回転ボードを固定し、シャツは長過ぎると、伸縮ボードを下へ引っ張り、移動ブロックは移動チャンバの中でスライドし、ブロックは制限溝の中に引っかかって伸縮ボードの下へ移動する距離を調整できることを特徴とする請求項１に記載のシャツ専用ハンガー。
【請求項３】
前記固定機構は左側の前記伸縮ボードの中に設置される固定チャンバを含み、前記固定チャンバの頂壁には推しチャンバが連通して設置されており、前記推しチャンバの中には推しボードがスライドできるように係合取り付けられ、前記推しボードの右側端面と前記推しチャンバの右側の内壁の間には第二撥条が固定的に取り付けられ、前記推しボードの前側端面には推しブロックが固定的に取り付けられ、右側の前記伸縮ボードの左側端面には固定ブロックが固定的に取り付けられ、前記固定ブロックの頂部端面の中には上に開口する定位チャンバが設置されており、前記定位チャンバの左側の内壁には定位ブロックが固定的に取り付けられ、前記推しボードの左側端面の中には左に開口する係止溝が設置されており、前記定位ブロックは前記係止溝の中に引っかかることができ、左右の回転ボードを開ける時、推しブロックを推す必要があり、推しボードを右へ移動させ、定位ブロックと係止溝とが係止状態から離脱し、右側の回転ボードを回して開け、その後左側の回転ボードを開けることを特徴とする請求項１に記載のシャツ専用ハンガー。
【発明の詳細な説明】
【技術分野】
【０００１】
本発明はハンガー分野を取り上げて、具体的にはシャツ専用ハンガーである。
【背景技術】
【０００２】
シャツに皺ができないように、吊り下げる時にはシャツ全体を支持する必要があり、一般的なハンガーはシャツの肩部しか支持しなく、シャツの側部を一緒に支持しなく、それに一般的なハンガーは幅を調節できなく、異なる肩の幅のシャツに適応できない。
【先行技術文献】
【特許文献】
【０００３】
【特許文献１】中国特許出願公開第１０３５３６１６６号明細書
【発明の概要】
【発明が解決しようとする課題】
【０００４】
本発明の目的はシャツ専用ハンガーを提供し、現有技術の上記欠点を克服できる。
【課題を解決するための手段】
【０００５】
本発明の実施例に基づくシャツ専用ハンガーは、動力ブロックを含み、前記動力ブロックの中には動力チャンバが設置されており、前記動力チャンバの頂壁の中にはフックがスライドできるように係合取り付けられ、前記フックの底部端面には第一傘歯車が固定的に取り付けられ、前記フックにおいて前記動力チャンバの中には変位を制限できる制限ブロックが固定的に取り付けられ、前記動力ブロックの左右両側端面の中には上下に対称的にスライド溝が設置されており、前記スライド溝の中にはスライダがスライドできるように係合取り付けられ、上下の前記スライダがフレームと固定的に接続されており、前記フレームの中にはネジ山チャンバが設置されており、前記動力チャンバの左右内壁の中にはネジ山ボルトが回転できるように係合取り付けられ、前記ネジ山ボルトが前記ネジ山チャンバとネジ山によって係合取り付けられ、前記ネジ山ボルトには第二傘歯車が固定的に取り付けられ、前記第二傘歯車が前記第一傘歯車と噛み合い、ハンガーの長さが足りない時、前記フックを押して回転させ、前記第一傘歯車を前記第二傘歯車と噛合させ、前記第二傘歯車を回転連動させ、両側の前記フレームが遠ざかり、ハンガーの長さを増え、前記フレームの中には下に開口する遊休チャンバが設置されており、前記遊休チャンバの前後の内壁の間には回転棒が回転できるように係合取り付けられ、前記回転棒にはシャツの側部を支持できる回転ボードが固定的に取り付けられ、前記回転ボードの中には前記回転ボードを支持でき且つ前記回転ボードの長さを増える補助機構が設置されており、左右の前記補助機構の間には左右の前記回転ボードを固定する固定機構が設置されている。
【０００６】
更なる技術方案、前記補助機構は前記回転ボードの頂部端面に設置される上に開口する補助チャンバを含み、前記補助チャンバの前後内壁の間には補助棒が回転できるように係合取り付けられ、前記補助棒には支持棒が固定的に取り付けられ、左側の前記支持棒の前側端面には差込ブロックが固定的に取り付けられ、右側の前記支持棒の中には差込溝が設置されており、前記差込溝が前記差込ブロックと挿入して接続されることができ、前記補助チャンバの下方には移動チャンバが設置されており、前記移動チャンバの中には移動ブロックがスライドできるように係合取り付けられ、前記移動ブロックの底部端面には七つの制限溝が設置されており、前記移動チャンバの下方には撥条チャンバが連通して設置されており、前記撥条チャンバの中にはブロックがスライドできるように係合取り付けられ、前記ブロックは前記制限溝の中に引っかかることができ、前記ブロックの底部端面と前記撥条チャンバの底壁の間には第一撥条が固定的に取り付けられ、前記移動ブロックには伸縮ボードが固定的に取り付けられ、それによりシャツの側部を支持する時、回転ボードを開けて垂直になるまで回転させ、その後支持棒を回転させ、差込ブロックを差込溝の中に差し込み、両側の回転ボードを固定し、シャツは長過ぎると、伸縮ボードを下へ引っ張り、移動ブロックは移動チャンバの中でスライドし、ブロックは制限溝の中に引っかかって伸縮ボードの下へ移動する距離を調整できる。
【０００７】
更なる技術方案、前記固定機構は左側の前記伸縮ボードの中に設置される固定チャンバを含み、前記固定チャンバの頂壁には推しチャンバが連通して設置されており、前記推しチャンバの中には推しボードがスライドできるように係合取り付けられ、前記推しボードの右側端面と前記推しチャンバの右側の内壁の間には第二撥条が固定的に取り付けられ、前記推しボードの前側端面には推しブロックが固定的に取り付けられ、右側の前記伸縮ボードの左側端面には固定ブロックが固定的に取り付けられ、前記固定ブロックの頂部端面の中には上に開口する定位チャンバが設置されており、前記定位チャンバの左側の内壁には定位ブロックが固定的に取り付けられ、前記推しボードの左側端面の中には左に開口する係止溝が設置されており、前記定位ブロックは前記係止溝の中に引っかかることができる。
【発明の効果】
【０００８】
本発明の有益な効果は下記の通りである：
【０００９】
本発明はハンガーの幅を調整でき、異なる肩幅のシャツに適応でき、シャツの肩幅が大きすぎて凹んでしまうことを避け、それに補助機構によってシャツの側ぶを支持でき、シャツ全体を支持でき、シャツに皺ができないように保証でき、宣伝する価値がある。
【図面の簡単な説明】
【００１０】
【図１】図１は本発明の構成模式図
【図２】図２は図１のＡの拡大構成模式図
【図３】図３は図１のＢの拡大構成模式図
【発明を実施するための形態】
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−３を参考して、本発明の実施例に基づくシャツ専用ハンガーは、動力ブロック１１を含み、前記動力ブロック１１の中には動力チャンバ１３が設置されており、前記動力チャンバ１３の頂壁の中にはフック１６がスライドできるように係合取り付けられ、前記フック１６の底部端面には第一傘歯車１５が固定的に取り付けられ、前記フック１６において前記動力チャンバ１３の中には変位を制限できる制限ブロック１４が固定的に取り付けられ、前記動力ブロック１１の左右両側端面の中には上下に対称的にスライド溝１７が設置されており、前記スライド溝１７の中にはスライダ１８がスライドできるように係合取り付けられ、上下の前記スライダ１８がフレーム２１と固定的に接続されており、前記フレーム２１の中にはネジ山チャンバ２０が設置されており、前記動力チャンバ１３の左右内壁の中にはネジ山ボルト１９が回転できるように係合取り付けられ、前記ネジ山ボルト１９が前記ネジ山チャンバ２０とネジ山によって係合取り付けられ、前記ネジ山ボルト１９には第二傘歯車１２が固定的に取り付けられ、前記第二傘歯車１２が前記第一傘歯車１５と噛み合い、ハンガーの長さが足りない時、前記フック１６を押して回転させ、前記第一傘歯車１５を前記第二傘歯車１２と噛合させ、前記第二傘歯車１２を回転連動させ、両側の前記フレーム２１が遠ざかり、ハンガーの長さを増え、前記フレーム２１の中には下に開口する遊休チャンバ２２が設置されており、前記遊休チャンバ２２の前後の内壁の間には回転棒３８が回転できるように係合取り付けられ、前記回転棒３８にはシャツの側部を支持できる回転ボード３７が固定的に取り付けられ、前記回転ボード３７の中には前記回転ボードを支持でき且つ前記回転ボード３７の長さを増える補助機構８０が設置されており、左右の前記補助機構８０の間には左右の前記回転ボード３７を固定する固定機構９０が設置されている。
【００１３】
前記補助機構８０は前記回転ボード３７の頂部端面に設置される上に開口する補助チャンバ３６を含み、前記補助チャンバ３６の前後内壁の間には補助棒３３が回転できるように係合取り付けられ、前記補助棒３３には支持棒３４が固定的に取り付けられ、左側の前記支持棒３４の前側端面には差込ブロック３５が固定的に取り付けられ、右側の前記支持棒３４の中には差込溝２３が設置されており、前記差込溝２３が前記差込ブロック３５と挿入して接続されることができ、前記補助チャンバ３６の下方には移動チャンバ２４が設置されており、前記移動チャンバ２４の中には移動ブロック２６がスライドできるように係合取り付けられ、前記移動ブロック２６の底部端面には七つの制限溝２５が設置されており、前記移動チャンバ２４の下方には撥条チャンバ３２が連通して設置されており、前記撥条チャンバ３２の中にはブロック３０がスライドできるように係合取り付けられ、前記ブロック３０は前記制限溝２５の中に引っかかることができ、前記ブロック３０の底部端面と前記撥条チャンバ３２の底壁の間には第一撥条３１が固定的に取り付けられ、前記移動ブロック２６には伸縮ボード２７が固定的に取り付けられ、それによりシャツの側部を支持する時、回転ボード３７を開けて垂直になるまで回転させ、その後支持棒３４を回転させ、差込ブロック３５を差込溝２３の中に差し込み、両側の回転ボード３７を固定し、シャツは長過ぎると、伸縮ボード２７を下へ引っ張り、移動ブロック２６は移動チャンバ２４の中でスライドし、ブロック３０は制限溝２５の中に引っかかって伸縮ボード２７の下へ移動する距離を調整できる。
【００１４】
前記固定機構９０は左側の前記伸縮ボード２７の中に設置される固定チャンバ２９を含み、前記固定チャンバ２９の頂壁には推しチャンバ４１が連通して設置されており、前記推しチャンバ４１の中には推しボード４２がスライドできるように係合取り付けられ、前記推しボード４２の右側端面と前記推しチャンバ４１の右側の内壁の間には第二撥条３９が固定的に取り付けられ、前記推しボード４２の前側端面には推しブロック４０が固定的に取り付けられ、右側の前記伸縮ボード２７の左側端面には固定ブロック２８が固定的に取り付けられ、前記固定ブロック２８の頂部端面の中には上に開口する定位チャンバ４３が設置されており、前記定位チャンバ４３の左側の内壁には定位ブロック４４が固定的に取り付けられ、前記推しボード４２の左側端面の中には左に開口する係止溝４５が設置されており、前記定位ブロック４４は前記係止溝４５の中に引っかかることができ、左右の回転ボード３７を開ける時、推しブロック４０を推す必要があり、推しボード４２を右へ移動させ、定位ブロック４４と係止溝４５とが係止状態から離脱し、右側の回転ボード３７を回して開け、その後左側の回転ボード３７を開ける。
【００１５】
使用する時、左右の回転ボードを開ける時、推しブロック４０を推し、推しボード４２を右へ移動させ、定位ブロック４４と係止溝４５とが係止状態から離脱し、そして右側の回転ボード３７が回転して開け、その後左側の回転ボード３７を開け、シャツの側骨を支持する時、回転ボード３７を垂直になるまで開け、そして支持棒３４を回転させ、差込ブロック３５を差込溝２３の中に差し込み、両側の回転ボード３７を固定し、シャツが長すぎると、伸縮ボード２７を下へ引っ張り、移動ブロック２６は移動チャンバ２４の中でスライドし、ブロック３０は制限溝２５の中に引っかかって伸縮ボード２７の下へ移動する距離を調整でき、ハンガーの長さが足りない時、前記フック１６を押して回転させ、前記第一傘歯車１５を前記第二傘歯車１２と噛合させ、前記第二傘歯車１２を回転連動させ、両側の前記フレーム２１が遠ざかり、ハンガーの長さを増える。
【００１６】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020175086.tif 000003
【図２】
2020175086.tif 000004
【図３】
2020175086.tif 000005
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
シャツ専用ハンガーであって、動力ブロックを含み、前記動力ブロックの中には動力チャンバが設置されており、前記動力チャンバの頂壁の中にはフックがスライドできるように取り付けられ、前記フックの底部端面には第一傘歯車が固定的に取り付けられ、前記フックにおいて前記動力チャンバの中には変位を制限できる制限ブロックが固定的に取り付けられ、前記動力ブロックの左右両側端面の中には上下に対称的にスライド溝が設置されており、前記スライド溝の中にはスライダがスライドできるように取り付けられ、上下の前記スライダがフレームと固定的に接続されており、前記フレームの中にはネジ山チャンバが設置されており、前記動力チャンバの左右内壁の中にはネジ山ボルトが回転できるように取り付けられ、前記ネジ山ボルトが前記ネジ山チャンバとネジ山によって取り付けられ、前記ネジ山ボルトには第二傘歯車が固定的に取り付けられ、前記第二傘歯車が前記第一傘歯車と噛み合い、ハンガーの長さが足りない時、前記フックを押して回転させ、前記第一傘歯車を前記第二傘歯車と噛合させ、前記第二傘歯車を回転連動させ、両側の前記フレームが互いに遠ざかるようにスライドさせることで、ハンガーを延長し、前記フレームの中には下に開口する遊休チャンバが設置されており、前記遊休チャンバの前後の内壁の間には回転棒が回転できるように取り付けられ、前記回転棒にはシャツの側部を支持できる回転ボードが固定的に取り付けられ、前記回転ボードの中には前記回転ボードを支持でき且つ前記回転ボードを延長する補助機構が設置されており、左右の前記補助機構の間には左右の前記回転ボードを固定する固定機構が設置されていることを特徴とするシャツ専用ハンガー。
【請求項２】
前記補助機構は前記回転ボードの頂部端面に設置される上に開口する補助チャンバを含み、前記補助チャンバの前後内壁の間には補助棒が回転できるように取り付けられ、前記補助棒には支持棒が固定的に取り付けられ、左側の前記支持棒の前側端面には差込ブロックが固定的に取り付けられ、右側の前記支持棒の中には差込溝が設置されており、前記差込溝が前記差込ブロックと挿入して接続されることができ、前記補助チャンバの下方には移動チャンバが設置されており、前記移動チャンバの中には移動ブロックがスライドできるように取り付けられ、前記移動ブロックの底部端面には七つの制限溝が設置されており、前記移動チャンバの下方には撥条チャンバが連通して設置されており、前記撥条チャンバの中にはブロックがスライドできるように取り付けられ、前記ブロックは前記制限溝の中に引っかかることができ、前記ブロックの底部端面と前記撥条チャンバの底壁の間には第一撥条が固定的に取り付けられ、前記移動ブロックには伸縮ボードが固定的に取り付けられ、それによりシャツの側部を支持する時、回転ボードを開けて垂直になるまで回転させ、その後支持棒を回転させ、差込ブロックを差込溝の中に差し込み、両側の回転ボードを固定し、シャツが長い場合、伸縮ボードを下へ引っ張り、移動ブロックは移動チャンバの中でスライドし、ブロックは制限溝の中に引っかかって伸縮ボードの下へ移動する距離を調整できることを特徴とする請求項１に記載のシャツ専用ハンガー。
【請求項３】
前記固定機構は左側の前記伸縮ボードの中に設置される固定チャンバを含み、前記固定チャンバの頂壁には推しチャンバが連通して設置されており、前記推しチャンバの中には推しボードがスライドできるように取り付けられ、前記推しボードの右側端面と前記推しチャンバの右側の内壁の間には第二撥条が固定的に取り付けられ、前記推しボードの前側端面には推しブロックが固定的に取り付けられ、右側の前記伸縮ボードの左側端面には固定ブロックが固定的に取り付けられ、前記固定ブロックの頂部端面の中には上に開口する定位チャンバが設置されており、前記定位チャンバの左側の内壁には定位ブロックが固定的に取り付けられ、前記推しボードの左側端面の中には左に開口する係止溝が設置されており、前記定位ブロックは前記係止溝の中に引っかかることができ、左右の回転ボードを開ける時、推しブロックを推す必要があり、推しボードを右へ移動させ、定位ブロックと係止溝とが係止状態から離脱し、右側の回転ボードを回して開け、その後左側の回転ボードを開けることを特徴とする請求項２に記載のシャツ専用ハンガー。
【手続補正２】
【補正対象書類名】明細書
【補正対象項目名】全文
【補正方法】変更
【補正の内容】
【発明の詳細な説明】
【技術分野】
【０００１】
本発明はハンガー分野を取り上げて、具体的にはシャツ専用ハンガーである。
【背景技術】
【０００２】
シャツに皺ができないように、吊り下げる時にはシャツ全体を支持する必要があり、一般的なハンガーはシャツの肩部しか支持しなく、シャツの側部を一緒に支持しなく、それに一般的なハンガーは幅を調節できなく、異なる肩の幅のシャツに適応できない。
【先行技術文献】
【特許文献】
【０００３】
【特許文献１】中国特許出願公開第１０３５３６１６６号明細書
【発明の概要】
【発明が解決しようとする課題】
【０００４】
本発明の目的はシャツ専用ハンガーを提供し、現有技術の上記欠点を克服できる。
【課題を解決するための手段】
【０００５】
本発明の実施例に基づくシャツ専用ハンガーは、動力ブロックを含み、前記動力ブロックの中には動力チャンバが設置されており、前記動力チャンバの頂壁の中にはフックがスライドできるように取り付けられ、前記フックの底部端面には第一傘歯車が固定的に取り付けられ、前記フックにおいて前記動力チャンバの中には変位を制限できる制限ブロックが固定的に取り付けられ、前記動力ブロックの左右両側端面の中には上下に対称的にスライド溝が設置されており、前記スライド溝の中にはスライダがスライドできるように取り付けられ、上下の前記スライダがフレームと固定的に接続されており、前記フレームの中にはネジ山チャンバが設置されており、前記動力チャンバの左右内壁の中にはネジ山ボルトが回転できるように取り付けられ、前記ネジ山ボルトが前記ネジ山チャンバとネジ山によって取り付けられ、前記ネジ山ボルトには第二傘歯車が固定的に取り付けられ、前記第二傘歯車が前記第一傘歯車と噛み合い、ハンガーの長さが足りない時、前記フックを押して回転させ、前記第一傘歯車を前記第二傘歯車と噛合させ、前記第二傘歯車を回転連動させ、両側の前記フレームが互いに遠ざかるようにスライドさせることで、ハンガーを延長し、前記フレームの中には下に開口する遊休チャンバが設置されており、前記遊休チャンバの前後の内壁の間には回転棒が回転できるように取り付けられ、前記回転棒にはシャツの側部を支持できる回転ボードが固定的に取り付けられ、前記回転ボードの中には前記回転ボードを支持でき且つ前記回転ボードを延長する補助機構が設置されており、左右の前記補助機構の間には左右の前記回転ボードを固定する固定機構が設置されている。
【０００６】
更なる技術方案、前記補助機構は前記回転ボードの頂部端面に設置される上に開口する補助チャンバを含み、前記補助チャンバの前後内壁の間には補助棒が回転できるように取り付けられ、前記補助棒には支持棒が固定的に取り付けられ、左側の前記支持棒の前側端面には差込ブロックが固定的に取り付けられ、右側の前記支持棒の中には差込溝が設置されており、前記差込溝が前記差込ブロックと挿入して接続されることができ、前記補助チャンバの下方には移動チャンバが設置されており、前記移動チャンバの中には移動ブロックがスライドできるように取り付けられ、前記移動ブロックの底部端面には七つの制限溝が設置されており、前記移動チャンバの下方には撥条チャンバが連通して設置されており、前記撥条チャンバの中にはブロックがスライドできるように取り付けられ、前記ブロックは前記制限溝の中に引っかかることができ、前記ブロックの底部端面と前記撥条チャンバの底壁の間には第一撥条が固定的に取り付けられ、前記移動ブロックには伸縮ボードが固定的に取り付けられ、それによりシャツの側部を支持する時、回転ボードを開けて垂直になるまで回転させ、その後支持棒を回転させ、差込ブロックを差込溝の中に差し込み、両側の回転ボードを固定し、シャツが長い場合、伸縮ボードを下へ引っ張り、移動ブロックは移動チャンバの中でスライドし、ブロックは制限溝の中に引っかかって伸縮ボードの下へ移動する距離を調整できる。
【０００７】
更なる技術方案、前記固定機構は左側の前記伸縮ボードの中に設置される固定チャンバを含み、前記固定チャンバの頂壁には推しチャンバが連通して設置されており、前記推しチャンバの中には推しボードがスライドできるように取り付けられ、前記推しボードの右側端面と前記推しチャンバの右側の内壁の間には第二撥条が固定的に取り付けられ、前記推しボードの前側端面には推しブロックが固定的に取り付けられ、右側の前記伸縮ボードの左側端面には固定ブロックが固定的に取り付けられ、前記固定ブロックの頂部端面の中には上に開口する定位チャンバが設置されており、前記定位チャンバの左側の内壁には定位ブロックが固定的に取り付けられ、前記推しボードの左側端面の中には左に開口する係止溝が設置されており、前記定位ブロックは前記係止溝の中に引っかかることができる。
【発明の効果】
【０００８】
本発明の有益な効果は下記の通りである：
【０００９】
本発明はハンガーの幅を調整でき、異なる肩幅のシャツに適応でき、シャツの肩幅が大きすぎて凹んでしまうことを避け、それに補助機構によってシャツの側ぶを支持でき、シャツ全体を支持でき、シャツに皺ができないように保証でき、宣伝する価値がある。
【図面の簡単な説明】
【００１０】
【図１】図１は本発明の構成模式図
【図２】図２は図１のＡの拡大構成模式図
【図３】図３は図１のＢの拡大構成模式図
【発明を実施するための形態】
【００１１】
以下、図１−３について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−３を参考して、本発明の実施例に基づくシャツ専用ハンガーは、動力ブロック１１を含み、前記動力ブロック１１の中には動力チャンバ１３が設置されており、前記動力チャンバ１３の頂壁の中にはフック１６がスライドできるように取り付けられ、前記フック１６の底部端面には第一傘歯車１５が固定的に取り付けられ、前記フック１６において前記動力チャンバ１３の中には変位を制限できる制限ブロック１４が固定的に取り付けられ、前記動力ブロック１１の左右両側端面の中には上下に対称的にスライド溝１７が設置されており、前記スライド溝１７の中にはスライダ１８がスライドできるように取り付けられ、上下の前記スライダ１８がフレーム２１と固定的に接続されており、前記フレーム２１の中にはネジ山チャンバ２０が設置されており、前記動力チャンバ１３の左右内壁の中にはネジ山ボルト１９が回転できるように取り付けられ、前記ネジ山ボルト１９が前記ネジ山チャンバ２０とネジ山によって取り付けられ、前記ネジ山ボルト１９には第二傘歯車１２が固定的に取り付けられ、前記第二傘歯車１２が前記第一傘歯車１５と噛み合い、ハンガーの長さが足りない時、前記フック１６を押して回転させ、前記第一傘歯車１５を前記第二傘歯車１２と噛合させ、前記第二傘歯車１２を回転連動させ、両側の前記フレーム２１が互いに遠ざかるようにスライドさせることで、ハンガーを延長し、前記フレーム２１の中には下に開口する遊休チャンバ２２が設置されており、前記遊休チャンバ２２の前後の内壁の間には回転棒３８が回転できるように取り付けられ、前記回転棒３８にはシャツの側部を支持できる回転ボード３７が固定的に取り付けられ、前記回転ボード３７の中には前記回転ボードを支持でき且つ前記回転ボード３７を延長する補助機構８０が設置されており、左右の前記補助機構８０の間には左右の前記回転ボード３７を固定する固定機構９０が設置されている。
【００１３】
前記補助機構８０は前記回転ボード３７の頂部端面に設置される上に開口する補助チャンバ３６を含み、前記補助チャンバ３６の前後内壁の間には補助棒３３が回転できるように取り付けられ、前記補助棒３３には支持棒３４が固定的に取り付けられ、左側の前記支持棒３４の前側端面には差込ブロック３５が固定的に取り付けられ、右側の前記支持棒３４の中には差込溝２３が設置されており、前記差込溝２３が前記差込ブロック３５と挿入して接続されることができ、前記補助チャンバ３６の下方には移動チャンバ２４が設置されており、前記移動チャンバ２４の中には移動ブロック２６がスライドできるように取り付けられ、前記移動ブロック２６の底部端面には七つの制限溝２５が設置されており、前記移動チャンバ２４の下方には撥条チャンバ３２が連通して設置されており、前記撥条チャンバ３２の中にはブロック３０がスライドできるように取り付けられ、前記ブロック３０は前記制限溝２５の中に引っかかることができ、前記ブロック３０の底部端面と前記撥条チャンバ３２の底壁の間には第一撥条３１が固定的に取り付けられ、前記移動ブロック２６には伸縮ボード２７が固定的に取り付けられ、それによりシャツの側部を支持する時、回転ボード３７を開けて垂直になるまで回転させ、その後支持棒３４を回転させ、差込ブロック３５を差込溝２３の中に差し込み、両側の回転ボード３７を固定し、シャツが長い場合、伸縮ボード２７を下へ引っ張り、移動ブロック２６は移動チャンバ２４の中でスライドし、ブロック３０は制限溝２５の中に引っかかって伸縮ボード２７の下へ移動する距離を調整できる。
【００１４】
前記固定機構９０は左側の前記伸縮ボード２７の中に設置される固定チャンバ２９を含み、前記固定チャンバ２９の頂壁には推しチャンバ４１が連通して設置されており、前記推しチャンバ４１の中には推しボード４２がスライドできるように取り付けられ、前記推しボード４２の右側端面と前記推しチャンバ４１の右側の内壁の間には第二撥条３９が固定的に取り付けられ、前記推しボード４２の前側端面には推しブロック４０が固定的に取り付けられ、右側の前記伸縮ボード２７の左側端面には固定ブロック２８が固定的に取り付けられ、前記固定ブロック２８の頂部端面の中には上に開口する定位チャンバ４３が設置されており、前記定位チャンバ４３の左側の内壁には定位ブロック４４が固定的に取り付けられ、前記推しボード４２の左側端面の中には左に開口する係止溝４５が設置されており、前記定位ブロック４４は前記係止溝４５の中に引っかかることができ、左右の回転ボード３７を開ける時、推しブロック４０を推す必要があり、推しボード４２を右へ移動させ、定位ブロック４４と係止溝４５とが係止状態から離脱し、右側の回転ボード３７を回して開け、その後左側の回転ボード３７を開ける。
【００１５】
使用する時、左右の回転ボードを開ける時、推しブロック４０を推し、推しボード４２を右へ移動させ、定位ブロック４４と係止溝４５とが係止状態から離脱し、そして右側の回転ボード３７が回転して開け、その後左側の回転ボード３７を開け、シャツの側骨を支持する時、回転ボード３７を垂直になるまで開け、そして支持棒３４を回転させ、差込ブロック３５を差込溝２３の中に差し込み、両側の回転ボード３７を固定し、シャツが長すぎると、伸縮ボード２７を下へ引っ張り、移動ブロック２６は移動チャンバ２４の中でスライドし、ブロック３０は制限溝２５の中に引っかかって伸縮ボード２７の下へ移動する距離を調整でき、ハンガーの長さが足りない時、前記フック１６を押して回転させ、前記第一傘歯車１５を前記第二傘歯車１２と噛合させ、前記第二傘歯車１２を回転連動させ、両側の前記フレーム２１が互いに遠ざかるようにスライドさせることで、ハンガーの長さを増える。
【００１６】
以上により、発明の具体実施方式だけであり、ところが、発明の保護範囲はこれには限らない、創造性労働のない考えた変化や入替えは、発明の保護範囲の中に含むべきである。
そのため、発明の保護範囲は特許文献によって制限される保護範囲を准すべきである。